(57)【要約】銃器サプレッサー１００用の装置及びシステムが提供される。一実施形態では、前記システム１００は、コア１０２のボアから外面まで半径方向に延びる少なくとも１セットのポート３０４を含む細長いコア１０２を含み、前記  少なくとも１セットのポート３０４は前記コア１０２の長手方向軸に沿って直線状に配置され、前記細長いコア１０２は、コア１０２の外面に形成された少なくとも１つのトラフ３１４を含む。前記システム１００はさらに、前記コア１０２の周囲に配置されたバッフルスリーブ１０４であって、このバッフルスリーブ１０４はその外面に沿って延在する相互嵌合するバッフルリッジ４０２によって形成された少なくとも１つの連続した流体経路を有する、バッフルスリーブ１０４と、前記バッフルスリーブ１０４の周囲に配置された外部チューブ１１２とを含む。  【選択図】      図１
2019502892.tif 000002
【特許請求の範囲】
【請求項１】
銃器サプレッサーであって、
細長いコアであって、このコアのボアから外面まで半径方向に延びるポートの少なくとも１セットを有し、前記少なくとも１セットのポートは前記コアの長手方向軸に沿って直線状に配置されるものであり、前記細長いコアはこのコアの外面に形成された少なくとも１つのトラフとを有する、細長いコアと、
前記コアの周りに配置されたバッフルスリーブであって、このバッフルスリーブの外面に沿って延在し、相互嵌合されたバッフル隆起部によって形成される少なくとも１つの連続した流体通路を有する、バッフルスリーブと、
バッフルスリーブの周囲に配置された外側チューブと
を有する、銃器サプレッサー。
【請求項２】
請求項１記載の銃器サプレッサーにおいて、
前記ボアから半径方向に延びるポートの前記少なくとも１セットは、前記ボアから半径方向に延びるポートの２セットを含み、前記少なくとも１つのトラフが前記ポートの２セットの間に配置されるものである、銃器サプレッサー。
【請求項３】
請求項１記載の銃器サプレッサーにおいて、
前記ポートの少なくとも１セットの各ポートには、渦を形成するように流体を導く螺旋状の溝が形成されているものである、銃器サプレッサー。
【請求項４】
請求項１記載の銃器サプレッサーにおいて、
前記ポートの少なくとも１セットの各ポートが、前記ボアから非直交角度で半径方向外向きに延びるものである、銃器サプレッサー。
【請求項５】
請求項４記載の銃器サプレッサーにおいて、
前記ポートの少なくとも１セットの各ポートは、前記細長いコアの銃口端部に向かって傾斜しているものである、銃器サプレッサー。
【請求項６】
請求項５記載の銃器サプレッサーにおいて、
前記非直交角度は、約５〜８０度の範囲内である、銃器サプレッサー。
【請求項７】
請求項６記載の銃器サプレッサーにおいて、
前記非直交角度は６５度である、銃器サプレッサー。
【請求項８】
請求項１記載の銃器サプレッサーにおいて、
前記バッフルスリーブは、このバッフルスリーブの内面と外面とを流体連結する複数のポート開口部をさらに備え、前記複数のポート開口部のうちの少なくとも１つは、前記少なくとも１セットのポートの少なくとも１つのポートと位置合わせされるものである、銃器サプレッサー。
【請求項９】
請求項８記載の銃器サプレッサーにおいて、前記相互嵌合されたバッフル隆起部の少なくとも１つが、前記複数のポート開口部のうちの隣接する１つに終端する、銃器サプレッサー。
【請求項１０】
請求項１記載の銃器サプレッサーにおいて、前記バッフルスリーブは、その内面と外面を流体連結する複数のトラフ開口部をさらに備え、前記複数のトラフ開口部の少なくとも１つは、前記複数のトラフ開口部のうちの少なくとも１つが前記トラフと整列するように配置されるものである、銃器サプレッサー。
【請求項１１】
請求項１記載の銃器サプレッサーであって、バッフルスリーブ保持器とスペーサチューブとをさらに備え、前記スペーサチューブは、前記細長いコアの銃口端部に結合され、且つ、前記銃口端部から長手方向に延在し、前記バッフルスリーブ保持器は前記細長いコアと前記スペーサチューブの間に配置され、前記バッフルスリーブを前記細長いコアに結合するように構成されるものである、銃器サプレッサー。
【請求項１２】
請求項１１記載の銃器サプレッサーであって、前記スペーサチューブに結合された少なくとも１つのディスク状の前方バッフルをさらに備え、前記少なくとも１つのディスク状の前方バッフルは、半径方向に延びる複数の開口部を有する不規則な表面を備えるものである、銃器サプレッサー。
【請求項１３】
請求項１記載の銃器サプレッサーであって、前記少なくとも１つの前方バッフルは、複数の前方バッフルを備え、前記複数の前方バッフルの各々は前記スペーサチューブに係合するように構成されたキーを開口部に備え、各キーは前記スペーサチューブに対する当該前方バッフルの回転位置を維持し、前記複数の前方バッフルの各々は隣接する前方バッフルに対して回転方向にずれており、これにより、前記複数の前方バッフルのそれぞれの前記半径方向に延びる開口部が前記隣接する前方バッフルの半径方向に延びる開口部と整列しないものである、銃器サプレッサー。
【請求項１４】
請求項１２記載の銃器サプレッサーであって、前記細長いコアは、前記細長いコアよりも大きい直径を有する基部をさらに備え、前記基部は前記バッフルスリーブおよび前記外側チューブを受け入れるためのプラットフォームを形成するものである、銃器サプレッサー。
【請求項１５】
請求項１４記載の銃器サプレッサーであって、前記外側チューブは前記基部に結合するものである、銃器サプレッサー。
【請求項１６】
請求項１５記載の銃器サプレッサーであって、前記外側チューブは、その端部に隣接して配置される環状隆起部をさらに備え、前記環状隆起部は、前記少なくとも１つの前方バッフルと係合して前記外側管内でこれを維持するように構成されるものである、銃器サプレッサー。
【請求項１７】
請求項１記載の銃器サプレッサーであって、前記外側チューブは、その一端に複数の歯をさらに有するものである、銃器サプレッサー。
【請求項１８】
請求項１記載の銃器サプレッサーであって、前記外側チューブは前記複数の歯に隣接して形成された複数のベンチュリタブをさらに備え、前記複数のベンチュリタブの各々は内向きに傾斜する三角形のタブを含み、前記複数のベンチュリタブの各々は前記銃器サプレッサーからのガスの流れを妨げるものである、銃器サプレッサー。
【請求項１９】
銃器サプレッサーのコアであって、
前記コアの中央ボアから外面に半径方向に延びるポートの複数セットであって、前記ポートの複数セットの各セットは前記コアの長手方向軸線に沿って直線状に配置されるものであり、前記ポートの複数セットの各ポートは流体が渦を形成するように誘導する螺旋状の溝を有する、ポートの複数セットと、
前記コアの外面に形成された複数のトラフであって、前記複数のトラフの各トラフは前記ポートの複数セットの隣接するセット同士の間に配置される、複数のトラフと、
を有する銃器サプレッサーのコア。
【請求項２０】
銃器サップレサーのバッフルスリーブであって、
前記バッフルスリーブは、この外面上に形成され、前記バッフルスリーブの第１の端部から第２の端部まで延在する複数の連続した流体経路を有し、前記複数の連続した流体経路の各々は、複数の相互嵌合されたバッフル隆起部によって画定され、前記複数の連続した流体通路の前記複数の相互嵌合されたバッフル隆起部は、長手方向軸に沿った横方向に蛇行した経路を画定するものである、銃器サップレサー。
【発明の詳細な説明】
【関連出願の相互参照】
【０００１】
本出願は、２０１６年１月２０日付出願の米国仮特許出願番号６２／２８０７９８、発明の名称「銃器サプレッサー」に優先権を主張するものであり、ここに参照により本明細書に組み込む。
【技術分野】
【０００２】
本出願は、一般に銃器に関するものであり、特に、その用途は、フラッシュサプレッサーに関するものである。
【背景技術】
【０００３】
サプレッサーの設計は、過去１００年以上にわたり、銃口を出る際に膨張するガスを捕捉する一連のバッフルおよびチャンバを有する基本構造を含んでいた。このコア設計コンセプトには多くのバリエーションがあったが、ほぼすべてのデザインがこの基本設計に基づくものである。しかしながら、この基本的な設計は、最初のチャンバ内に圧力を閉じ込め、第１のバッフルに大きな圧力を発生させるという、一般に「ブラストバッフル」と呼ばれる欠陥を有する。この第１のチャンバ内のこの圧力および熱蓄積は、バレルに対する背圧を含むいくつかの悪影響をもたらす。この背圧は、追加の炭素およびガスからの汚れにより、しばしば銃器の誤動作を引き起こす。さらに、システムへの過度のガス供給、サイクルレートの増加により、コンポーネントに機械的故障をもたらす追加のストレスを生み出す。過度の背圧の別の負の影響は、ガスおよび破片がオペレータの顔に吹き戻されることである。
【０００４】
基本設計の他の欠点は、ガスが小孔から出てバレル内に戻るか、または弾丸の基部に向かって前方に出なければならず、乱流および精度の問題を引き起こす可能性があることである。
【０００５】
また、最も基本的な設計では、熱伝達「ヒートシンク」能力が乏しいため、最適なガス膨張、拡散および冷却が得られない。したがって、弾丸がサプレッサーを出るまでガスの膨張は制限され、且つガス圧力が維持され、弾丸がでた時点で高温のガスは最終的に比較的高い圧力、速度および熱で小孔を出る。圧力、速度、および熱が、サウンドシグネチャ（痕跡）の主な原因である。
【０００６】
これらの設計の全体的なサウンドシグネチャに追加されるもう１つの箇所は、弾丸は弾丸の前の超音速空気円錐を押し出す可能性があり、ソニックブームが弾丸が各チャンバを通過するときに、さらに弾丸がサプレッサーを出るときに生じることである。基本設計のもう一つの設計上の欠点は、チャンバ内の周囲空気が点火され、サプレッサの端部から大きな閃光が生じることである。この閃光は武装した敵の注目を引くことになり、オペレータの位置を敵に知らせることになるため、この閃光は軍隊では「死の花」として知られている。 
【発明の概要】
【課題を解決するための手段】
【０００７】
銃器抑制装置のための装置、システム、および装置が開示される。一実施形態では、システムは、細長いコアであって、前記コアのボアから外面まで半径方向に延びるポートの少なくとも１セットを含む細長いコアを含み、前記少なくとも１セットのポートは、前記コアの長手方向軸に沿って直線的に配置され、前記細長いコアは、このコアの外面に形成された少なくとも１つのトラフを含む。前記システムはまた、前記コアの周囲に配置されたバッフルスリーブを含み、このバッフルスリーブは、その外面に沿って延びる少なくとも１つの連続した流体通路を有し、相互嵌合されたバッフル隆起部と前記バッフルスリーブの周りに配置された外側チューブとによって形成される。
【０００８】
一実施形態では、前記少なくとも１セットのポートは、前記ボアから半径方向に延びるポートの２セットを有し、前記少なくとも１つのトラフが前記ポートの２セットの間に配置される。前記少なくとも１セットのポートのそれぞれは、渦を形成するように流体を導く螺旋溝で形成される。さらに、各ポートは、非直角の角度で前記ボアから半径方向外側に延びてもよい。さらなる実施形態では、各ポートは、約５度と８０度との間の角度で、前記細長いコアの銃口端に向かって外側に延びる。さらに別の実施形態では、前記角度は約６５度である。
【０００９】
一実施形態では前記バッフルスリーブは、その内面と外面とを流体結合する複数のポート開口部を含む。前記複数のポート開口部の少なくとも１つは、前記コアの少なくとも１つのポートと整列するように配置される。一実施形態では、前記相互嵌合されたバッフル隆起部の少なくとも１つは、前記複数のポート開口部のうちの隣接する１つに終端する。
【００１０】
別の実施形態では、前記バッフルスリーブは、その内面と外面を流体結合するトラフ開口部を含み、前記トラフ開口部は前記トラフと整列するように配置される。さらなる実施形態では、システムは、バッフルスリーブ保持器およびスペーサチューブを含み、前記スペーサチューブは、前記細長いコアの銃口端部に連結及びその長手方向に延伸し、前記バッフルスリーブ保持器が前記細長いコアとスペーサとの間に配置され、前記バッフルスリーブを前記細長いコアに結合するように構成される。
【００１１】
前記システムはまた、前記スペーサチューブに結合され、半径方向に延びる複数の開口部を有する不規則な表面を有する前方バッフルを含むものである。
【００１２】
前記複数の前方バッフルの各々は、前記スペーサチューブに係合するように構成されたキーを開口内に含むことができる。各キーは、前記スペーサチューブに対してそれぞれの前方バッフルの回転位置を維持し、前記複数の前方バッフルの各々は、前記複数の前方バッフルのうちの隣接する１つに対して回転方向にずれており、それにより前記前方バッフルの一つの半径方向に延びる開口部は隣接する前方バッフルの半径方向に延びている開口口と整列しないようになる。
【００１３】
一実施形態では、前記細長いコアは、これよりも大きい直径を有する基部を有し、前記基部は、前記バッフルスリーブおよび前記外側チューブを受け入れるためのプラットフォームを形成する。前記外側チューブは、前記基部に結合してもよい。別の実施形態では、前記外側チューブは、前記外側チューブの端部に隣接して配置された環状隆起部を含み、前記環状隆起部は、前記前方バッフルと係合し、これを前記外側チューブ内に維持するように構成される。
【００１４】
一実施形態では、前記外側チューブは、その一端に複数の歯を含む。さらなる実施形態では、前記外側チューブは、前記複数の歯に隣接して形成されたベンチュリタブを含み、各ベンチュリタブは、銃器サプレッサーからのガスの流れを妨げるように、内側に傾斜した三角形のタブである。
【００１５】
別の実施形態では、銃器サプレッサーのコアは、前記コアの中心ボアから外面に放射状に延びるポートの複数セットを含み、前記複数セットの各セットは、前記コアの長手方向の軸に沿って一直線に配置され、前記ポートの複数セットの各ポートは、渦を形成するように流体を導く螺旋溝を有するものである。前記コアは、この実施形態では、このコアの外面に形成された複数のトラフを含み、前記複数のトラフの各々は、前記ポートの複数セットの隣接するセット同士の間に配置される。
【００１６】
別の実施形態では、前記バッフルスリーブは、その外面に形成される、第１の端部から第２の端部まで延在する複数の連続した流体経路を含み、複数の相互嵌合されたバッフル隆起部によって画定され、前記複数の連続していない流体経路のそれぞれの複数の交互配置されたバッフル隆起部は長手方向の軸に沿って横方向に蛇行する経路を画定する。
【図面の簡単な説明】
【００１７】
本発明の利点を容易に理解することができるように、上で簡単に説明した本発明のより詳細な説明は、添付の図面に示される特定の実施形態を参照することによって行われる。これらの図面は、本発明の典型的な実施形態のみを示すものであり、従って、その範囲を限定するものではないと理解され、本発明は、添付の図面を使用して、説明され、追加の特定の詳細が示されるものである。
【図１】図１は、本開示の実施形態による銃器サプレッサの一実施形態を示す分解斜視図である。
【図２】図２は、本開示の実施形態によるコアの異なる実施形態を示す図である。
【図３Ａ】３Ａは、本開示の実施形態によるコアの異なる実施形態を示す図である。
【図３Ｂ】３Ｂは、本開示の実施形態によるコアの異なる実施形態を示す図である。
【図４Ａ】図４Ａは、本開示の実施形態によるバッフルスリーブの特定の実施形態を示す概略図である。
【図４Ｂ】４Ｂは、本開示の実施形態によるバッフルスリーブの特定の実施形態を示す概略図である。
【図５】図５は、本開示の実施形態によるバッフルチューブ保持器の一実施形態を示す斜視図である。
【図６】図６は、本開示の実施形態によるスペーサチューブの一実施形態を示す斜視図である。
【図７】図７は、本開示の実施形態による前方バッフルの１つの一実施形態を示す斜視図である。
【図８Ａ】図８Ａは、本開示の実施形態による外側チューブの異なる実施形態を示す図である。
【図８Ｂ】図８Ｂは、本開示の実施形態による外側チューブの異なる実施形態を示す図である。
【図９Ａ】図９Ａは、本開示の実施形態による外側チューブの異なる実施形態を示す図である。
【図９Ｂ】図９Ｂは、本開示の実施形態による外側チューブの異なる実施形態を示す図である。
【発明を実施するための形態】
【００１８】
本出願の主題は、現在の技術水準に応じて、特に、現在利用可能な銃器サプレッサーによってまだ完全には解決されていない当該技術分野の問題および必要性に応じて開発された。したがって、本出願の主題は、従来技術の少なくともいくつかの欠点を克服する銃器サプレッサーを提供するために開発されたものである。
【００１９】
以下でさらに詳細に説明するように、サプレッサーは、最大ガス膨張、冷却および拡散のために、対称的な三次元ガスフローを使用する設計を取り込むものである。その結果のデザインは、弾頭がサプレッサーを出る時にだけ圧力リリースされる代わりに、連続的かつ定常状態の圧力リリースが行われる。さらに、サプレッサーの設計はバックプレッシャーをゼロか最小限に抑え、閃光を排除し、サプレッサー全体に均等に熱を配分して熱特性を改善し、熱伝達と冷却を向上させる複数の設計機能を備える。これらの特徴は、熱応力および熱応力関連のコンポーネント故障も低減させるものである。
【００２０】
本開示のサプレッサーの別の利点は、２秒未満で水を排出する能力である（典型的には、特殊部隊ユニットは８秒以内に排水能力を必要とする）。これらおよび他の特徴および利点については、以下にさらに詳細に説明する。
【００２１】
図１は、本開示の実施形態による銃器サプレッサー１００の一実施形態を示す分解斜視図である。以下に説明する実施形態は、ライフルと共に使用するサプレッサー１００の使用を説明しているが、記載された構成要素および方法は、これらに限定されるものではないがピストル、ショットガンなどを含むが異なる種類の銃器に対応するように変更可能である。
【００２２】
図示する実施形態では、サプレッサー１００は、これを形成するために別個に製造され、組み立てられ得る複数の個々のコンポーネントから形成される。しかしながら、サプレッサー１００は、別の方法では単一の１製品として製造されてもよい。３Ｄ印刷技術が向上するにつれて、サプレッサー１００は、これらの３Ｄ印刷技術によって製造され得ると考えられる。一般に、サプレッサー１００は、金属および／または金属合金で形成される。コンポーネントによっては熱を吸収して拡散し、それによって高い熱伝導率を有することが望ましく、また別のコンポーネントは低い熱伝導率を有することが望ましいため、異なるコンポーネントに異なる材料を使用することができる。
【００２３】
図示されるように、サプレッサー１００は、コア１０２、バッフルスリーブ１０４、バッフルチューブ保持器１０６、スペーサチューブ１０８、１つ以上の前方バッフル１１０、リテーナナット１１１、および外側チューブ１１２で形成される。一実施形態では、チューブ保持器１０６とスペーサチューブ１０８は一体化されていてもよいし、チューブ保持器１０６とスペーサチューブ１０８が別々に形成されていてもよい。サプレッサー１００は、銃器バレル１１６の長手方向軸から伸び、弾丸がバレル１１６からサプレッサー１００の出口１１８に向かって移動する経路を描く、長手方向軸（線１１４によって示される）を有する。サプレッサー１００は、弾丸または他の高エネルギー（すなわち、高速）装置を受け入れるためのバレル１１６の銃口端に係合する入口と、弾丸が通過、また銃口の爆風、弾丸の衝撃波、および他の微粒子の排出及び拡散のための出口１２０とを有するように構成される。
【００２４】
図２、図３Ａ及び図３Ｂはコア１０２を合わせて示しており、一緒に説明する。図２は、本開示の実施形態によるコア１０２の一実施形態を示す斜視図である。コア１０２は、スチール、ステンレス鋼、チタン、インコネル及びアルミニウムを含むがこれらに限定されない適切な材料から機械加工又は鋳造することができる単一部品である。一実施形態では、コア１０２は、様々な種類の標準またはメトリック系のねじで銃器の銃口（すなわち、図１のバレル１１６の端部）を留める。さらに、図３に示すように、図２に示すように、コア１０２の反対側の端部は、スペーサチューブ１０６の雄ネジ部を受け入れるための雌ネジ部を有してもよい。
【００２５】
一実施形態では、不連続のねじ（図示せず）を利用して、フラッシュヒーダー、銃口ブレーキ、または銃口シグネチャ（痕跡）管理装置などの銃装置にコア１０２を取り付けるための迅速な取り付け方法を実施することができる。別の実施形態では、コア１０２は、レンチまたは他の工具がサプレッサー１００にトルクを加えて銃器に取り付けることを可能にするために、銃口係合端部３０２に機械加工または他の方法で形成されたフラット３０１を有してもよい。
【００２６】
コア１０２は、ボア３０６から半径方向外側に延在する１セットのポート３０４を有する。以下の説明では、ポートは一般に「ポート３０４」として特定され、「ポート３０４Ａ」などとして個別に特定されてもよい。各ポート３０４は、コア１０２の内面を外面と流体的に結合するチャネルを形成する。言い換えると、各ポート３０４は、外面から内面まで延びる開口部を形成する。
【００２７】
図示された実施形態では、ポート３０４は、概して長手方向に配置され、言い換えれば、１セットのポート３０４Ａ、３０４Ｂ（図２参照）は直線的に整列される。一実施形態では、直線状に配列されたポートの１セットのそれぞれ３０４Ａ、３０４Ｂは、隣接する１セットのポートから９０度の間隔を置かれている。換言すれば、縦軸（図１参照）に沿ってボアを見下ろすと、ポート３０４は、図３Ｂに示すように、１２時、３時、６時および９時の方角に沿って延びる。これに限定されるものではないが、多かれ少なかれ１セットのポート３０４Ａ、３０４Ｂが非線形に配列された一連のポート（例えば、コア１０２の外側周囲に螺旋状に延びる経路と整列した一連のポート）、ランダムに配置されたポート等が考えられる。
【００２８】
コア１０２の断面図である図３Ａを参照すると、ポート３０４は、前方に移動する空気流を生成するために前方方向に（すなわち、サプレッサの銃口端１２０に向かって）角度を付けてもよい。言い換えれば、ポート３０４は、ボアに対して非直交角度でボアから外側に延びている。ライン３０６および３１０（ボアとポートの軸をそれぞれ示す）によって形成される角度は、約５度から８０度の間の範囲にある。別の実施形態では、角度は約６５度である。他の実施形態では、ポートは、ボア３０６から垂直に延びるか、あるいは、ポート３０４は、後方方向に（すなわち、ライフルの銃口端に向かって）角度を付けられてもよい。本明細書は「銃口端」という句は、弾丸が装置を出る開口部を指す。
【００２９】
一実施形態では、各ポート３０４は、螺旋溝３１２または溝を有するように形成される。螺旋溝３１２は有利に、ガスをボア３０６から遠ざけて、各ポート３０４でガスの渦を形成させる。渦を形成する動作は、ガスを減速させる働きをする。発射された発射体によって形成される音圧波は、前記発射体の現在位置とサプレッサー１０２の銃口端との間のポート３０４を通って弾丸の前方に流出し、周囲空気を通る発射体からのソニックブームを低減または排除する。ポート３０４中の螺旋溝３１２は、ガスを減速させ、ポート壁および溝に対する抵抗によって反動緩和を生成し、コア１０２の露出表面積を増加させることによって効果的な熱伝達を生成し、それによってガスを冷却する。螺旋溝３１２はまた、出口ガスをさらに減速させる働きをする乱流ガス流を生成する。
【００３０】
有利には、コア１０２のモノリシック性は、（ほとんどのサプレッサーのように）初期のブラストバッフルを有さず、したがって高圧カートリッジに関する問題を排除し、実質的に背圧を排除する。本明細書で使用する「モノリシック」という用語は、コア１０２が単一の材料の塊から形成されるという、コア１０２の製造方法を指す。さらに、モノリシックのコア１０２は、より大きな強度、剛性を提供し、さらにバッフルの位置ずれに起因する弾丸／発射体によるバッフルストライクの可能性を有さない。バッフルの侵食も排除される。
【００３１】
一実施形態では、コア１０２は、その（図２参照）の外面に形成された１つ以上の拡張溝３１４を含む。別の実施形態では、各膨張トラフ３１４は、図示のように、ポート３０４の隣接する直線のシリーズ（またはスタック）の間に配置される。このような構成では、コア１０２には４つの膨張トラフ３１４が形成されている。有利には、膨張トラフ３１４は、重量を低減し、ガスのための追加の膨張領域を提供し、冷却に有用なコア１０２の外面面積を増加させる。
【００３２】
一実施形態では、コア１０２はまた、外側チューブ１１２（またはスリーブ）を受け入れるための基部３２０を含む。一実施形態では、基部３２０は、コア１０２から半径方向外側に延びて、外側チューブのためのプラットフォームまたは支持部を形成する。特定の実施形態では、支持部は、外側チューブ１１２の雌ねじと噛み合うためのねじ部を含むことができる。コア１０２を外側チューブ１１２に結合するための代替的な固定手段が考えられる。
【００３３】
図４Ａおよび図４Ｂは、本開示の実施形態によるバッフルスリーブ１０４の特定の実施形態を示す概略図である。図４Ａは斜視図であり、図４Ｂは側面透視図である。バッフルスリーブ１０４は、コア１０２がバッフルスリーブ１０４内に挿入可能となるように、コア１０２の外径よりも大きくなるように選択された内径を有するように構成される。一実施形態では、バッフルスリーブ１０４は、バッフルスリーブの一方の端部から他方の端部まで全体的に長手方向に延びる少なくとも１つの連続した流体経路とを含む。別の言い方をすれば、バッフル４０２（またはリッジ）、バッフルスリーブ１０４、および外側チューブ１１２の間に流体通路が形成される。
【００３４】
各流体通路は、バッフルスリーブ１０４の外側に沿って、バッフルスリーブ１０４の第１の端部を第２の端部の間を蛇行する。本明細書で使用される「連続した流体経路」という語句は、バッフル４０２または他の壁によって完全には塞がれていないバッフルスリーブ１０４の外面上の流体経路を指す。したがって、バッフルスリーブ１０４の第１の端部に隣接する第１の開口部４０４に入るガスは、点線４０８で示されるようにバッフルスリーブ１０４の外面に沿って、バッフルスリーブ１０４の第２の端部に隣接する第２の開口部４０６に進むことができる。第１の開口４０４は、ポート３０４と位置合わせされてもよい。
【００３５】
図示された実施形態では、流体経路４０８の両側のバッフル４０２は、相互に噛み合った態様で内側に延びて、ジグザグ型パターンを生成する。図示されているように、バッフル４０２は、部分的な六角形（すなわち、Ｖ字形またはＵ字形のバッフル）のような繰り返しかつ相互嵌合された幾何学的形状で形成されてもよく、あるいは、流体経路４０８がバッフルスリーブ１０４の外面に沿って連続した限り、より有機的および／またはランダムに形成されてもよい。しかし、代替的な実施形態では、バッフル４０２を流体経路４０８内に配置して、流体（すなわちガス）をバッフルスリーブ１０４の外面からコアに向かって流れるようにする。２つ以上の相互嵌合された流体経路がバッフルスリーブ１０４の外面上に形成してもよい。代替的な実施形態ではバッフルスリーブ１０４の外面上を横切って前後に蛇行する単一の流体経路が形成されてもよい。言い換えれば、流体経路４０８は、長手方向軸に沿って横方向に蛇行していてもよく、流体経路４０８の折り返しは、隣接する流体経路と噛み合っていてもよい。例えば、流体は、バッフルスリーブの外面に沿って、主として横方向に流れる（すなわち、流体は、サプレッサの端部に向かって縦方向よりも、より大きな距離を横方向に移動する）。
【００３６】
流体経路４０８に形成された開口４０６は、コア１０２と、バッフルスリーブ１０４および外側チューブ（図１参照）によって形成された外側チャンバとの間でガスが流れることを可能にする。これにより、発射体／弾丸がコア１０２を通過する際の圧力の蓄積が防止される。
【００３７】
ガスがコア１０２からバッフルスリーブ１０４および外側チューブによって形成された外側チャンバに流出するとき、バッフル４０２の形状は、ガスを少なくとも１つの流体経路に向け直す。他の実施形態では、バッフル４０２は、同じ流体経路４０８内でガスを２つ以上の方向に方向転換する。図４Ｂに示されているように、また上述したように、コアのポートを出るガスは、螺旋溝のために渦を形成する。渦が外側チャンバ内にスピンすると、開口部４０４に隣接するバッフルの先端部４１０が渦を遮り、ガスを矢印４１２で示すように複数の方向に流す。したがって、特定の実施形態では、ポート３０４の１つと整列する、開口部に隣接してバッフルの先端部４１０を配置することが有益である。
【００３８】
弾丸／発射体がコア内のポート３０４の次のセットを通過するとき、抜けるガスは有利にはバッフルスリーブ及びインターロックボックスのＶパターンはの中に送られ、例えばバッフル４０２の設計とポート３０４の配置により、交互のポート開口部の圧力波が衝突するので、これにより、音波の相殺も達成される。これにより圧力の均等化も図れる。換言すれば、相互嵌合されたバッフルの設計により、隣接するポート開口部はガスを異なる流体経路に排気させる。ひとつおきのポート開口部４０４は、図示のように同じ流体経路に排出する。その代わりに、例えば、隣接するまたは３つ毎のポートが、同一の流体経路に排気する設計が企図されてもよい。
【００３９】
バッフルスリーブ内のポート４０４は、コア内のポート３０４と整合（または整列）するように配置される。より小さい、追加の開口部によってガスが前記トラフに膨張することを可能にする。拡張ポートの配列は、前記トラフ内でのガスの後方への流れを作り、バッフルスリーブ１０４の切り欠きは、それらのガスがバッフルスリーブ内に戻って流れ込むことを可能にする。圧力が均等になるにつれて、ガスは螺旋溝３１２を通ってコア１０２に逆流し、ガスをさらに冷却して減速させることができる。さらに、４つの交差するポート３０４の対称的な設計は、追加の音波消去を可能にする。バッフルスリーブ１０４はまた、ガスの減速、冷却、および膨張をもたらす。
【００４０】
図５は、本開示の実施形態によるバッフルチューブ保持器１０６の一実施形態を示す斜視図である。図１に示す実施形態では、バッフルチューブ保持器１０６は、バッフルスリーブ１０４を保持するように構成されている。バッフルチューブ保持器１０６は、バッフルスリーブ１０４の内径と係合する大きさの縁５０２を有するように構成される。スペースチューブ１０８はこの後に詳細に説明するように前記コアと噛み合う。バッフルチューブ保持器１０６は、スペーサ管１０８とバッフルスリーブ１０４との間に配置され、従って、コア１０２に対するバッフルスリーブ１０４の位置を維持する。一実施形態では、バッフルチューブ保持器１０６は、バッフルスリーブ１０４及び外側チューブ１１２と共に配置された整列タブを有する機械加工されたワッシャである。
【００４１】
図６は、本開示の実施形態によるスペーサチューブ１０８の一実施形態を示す斜視図である。一実施形態では、スペーサチューブ１０８は、スペーサチューブ１０８をコア１０２に取り付けるためのネジ付き端部６０２を有する。あるいは、スペーサチューブ１０８をコア１０２に固定する他の方法が考慮されているが、標準のクイック取外しシステム、または永続的に固定されたボンディングを使用する。いくつかの実施形態では、反対側の端部は、コア１０２を越えてガスをさらに排気するための切り欠き領域（すなわち、「プロング」）を含む。さらに、プロングは、フラッシュハイダー・フラッシュディフューザを作り、未燃ガスまたは点火された酸素がサプレッサーの孔から排気される。
【００４２】
一実施形態では、スペーサチューブ１０８は、実質的に固体の外面を有する。本開示の他の多くの構成要素とは異なり、スペーサチューブ１０８は、内部チャネルから外側チューブまたはバッフルスリーブにガスが通過するのを防ぐために中実である。このようにして、スペーサチューブ１０８は、最終整列チューブとして機能し、ガス／衝撃波が弾の方向および精度に影響を及ぼすことを防止する。弾丸がスペーサチューブ１０８内に存在する短時間の間、スペーサチューブ１０８はサプレッサー１００のためのプラグとして作用し、スペーサチューブ１０８のボアの代わりに前方バッフル１１０を通ってサプレッサー１００からガスを排出させる。
【００４３】
図７は、本開示の実施形態による前方バッフル１１０の１つの一実施形態を示す斜視図である。一実施形態では、前方バッフル１１０はディスクに似ている。バッフルスリーブおよびコアによって形成された外側チャンバは、主に、一連の４つのインターロックするオフセット前方バッフル１１０を通ってそのガスを放出する。各前方バッフル１１０は、１つまたは複数の楕円形のポート付きで形成することができる。さらなる実施形態では、各前方バッフルは、４つの等間隔の楕円形ポート７０２を含むが、他の形状または数の楕円形ポートも使用することができる。別の言い方をすれば、等間隔で半径方向に延びる任意の開口を使用することができる。図示された実施形態では、開口／ポートは、隣接するポートから９０度離れて配置される。例えば、開口の数が増減された場合には、離れる角度も対応して増加または減少することができる。
【００４４】
有益には、バッフル１１０をポートの大きさおよび形状、ガスが外部チャンバを出ていく圧力、およびサプレッサから排気する速度を、バッフル１１０を互いに近づけたり離したりすることによって調節することができる。この実施形態では、４つのバッフルがあるので、バッフル１１０は、サプレッサの外側チューブを出る前にガスを強制的に１回転させるように１／４回転（すなわち９０度）ずれている。各前方バッフル１１０は、ガス流の乱れを引き起こし、それによりガス流をさらに減速させるために、図示されたダイヤモンドパターンのような非平面または不規則な表面を組み込むことができる。さらに、ダイヤモンドパターンは、フラッシュや炎を消すのに役立ち、ガスをゆっくりと冷却するのに役立ちます。一実施形態では、一連の前方バッフル１１０は、スペーサチューブ１０８上に配置され、外側チューブの外側に延びている。前方バッフル１１０は、適切な整列を維持するためにスペーサチューブ１０８内のスロットに係合するためのキー７０４を含むことができ、あるいは前方バッフル１１０は外側チューブ内の所定の位置に摩擦固定（締り嵌め）されてもよい。
【００４５】
図８Ａ、８Ｂ、９Ａ及び９Ｂは、外側チューブ１１２の異なる実施形態を示す図である。一実施形態の外側チューブ１１２は、サプレッサーの入口端（すなわち、ライフルに最も近い）に隣接して配置されるコア１０２の隆起部（基部３２０等）と噛み合う。外側チューブ１１２は、上述した構成要素のすべてを取り囲んで保護シールドを形成し、外側チャンバおよび／または流体経路の一部を形成する。
【００４６】
図示された実施形態では、外側チューブ１１２は管状であるが、冷却を促進し、熱特性を低下させるために外面に適用される冷却溝またはフィンのような異なる内部または外部形状が使用される他の実施態様も想定できる。あるいは、外側チューブ１１２は、例えば、六角形であってもよい。外側チューブ１１２には、前方バッフル１１０を圧力チューブ１０８上に保持する棚部または隆起部８０２が形成されてもよい。隆起部８０２は、環状であり、図示のように外側チューブ１１２の銃口端部に隣接して配置され得る。外側チューブ１１２のこの実施形態は、ガスが排出されるサプレッサの端部に凹状空間を形成するために最後のバッフル１１０および圧力管を越えて延在する。あるいは、外側チューブ１１２には、例えば、棚または隆起部８０２と同様に動作するロックワッシャを受容するための溝が形成されてもよい。
【００４７】
外側チューブの排出端は歯８０４または「山形そで章」が設けられてもよい。図示の実施形態では、１２個の等間隔の歯８０４が設けられている。これらは、高温ガスが外側チャンバおよびサプレッサーボアを出て外の大気中に広がる時に、音波シグネチャ（痕跡）を生成するが、歯８０４はガスの膨張を壊して拡散させ、それによって音波シグネチャを減少させる。歯８０４はまた、サプレッサから出る可能性のある銃口フラッシュを拡散して減少させるのにも有用である。
【００４８】
一実施形態では、外側チューブ１１２はまた、ベンチュリディフューザタブ９０２を組み込んでもよい（図９Ａおよび図９Ｂ参照）。一実施形態では、これらのベンチュリタブ９０２は、形状が細長く、三角形であり、外側チューブ１１２の端部に隣接して配置される。別の実施形態では、ベンチュリタブ９０２は、外側チューブ１１２の周りに均等に間隔を置いて配置され、図示のように、より大きなベンチュリタブ９０２と小さなベンチュリタブ９０２とを交互に有する。タブは、三角形の形状をサプレッサーの端部のくぼんだ空間に押し込むか、または打ち抜くことによって形成することができる。高温ガスがサプレッサを出て外側チャンバまたはボアのいずれかを通ってベンチュリタブ９０２を通過すると、ガスは三角形タブの周りを流れるように強制され、より大きな流れの乱れを生じ、それによりガスの速度を遅くし拡散させ、弾丸／発射体の前方の超音速空気流と、燃焼した推進体からの膨張した高温の銃口ガスの両方を乱す。高温のガスがベンチュアタブ９０２を通過すると、より冷たい周囲空気がサプレッサの凹んだ端部に引き込まれ、高温ガスと混合し、冷却し、膨張率および音波シグネチャ（痕跡）が低下する。
【００４９】
上記の銃器サプレッサーの利点は多くあり、音波シグネチャ（痕跡）の低減を含む。本開示の銃器サプレッサー装置は、カートリッジの解除に起因する銃器の音のシグネチャを減少させ、周囲の空気を置換する銃銃口からの高圧、高速、高温膨張ガスの排出をもたらし、典型的には１６０〜１７０デシベルのシグネチャが生成される。本開示の銃器サプレッサーは、三次元のガス流を提供し、サプレッサの全内部体積がガスの膨張および拡散のために使用される。銃器サプレッサーはまた、全長にわたってガスからサプレッサーへ熱を伝達する非常に効果的な熱シンクとしても作用する。
【００５０】
利点はまた、銃口フラッシュおよび第１ラウンドフラッシュの抑制を含む。現在のサプレッサーの設計は、高度の乱流を作り出すことによって、燃焼ガン粉末またはプロペラントからの火炎を効果的に消滅させる。この設計はまた、弾丸の前方を進む圧力波を排出させることによってサプレッサーに含まれる周囲空気および酸素をパージすることを容易にし、これにより真空を作り出し、膨張するガスがその真空を満たす。銃器サプレッサーはまた、前方シュレッダーバッフル、圧力チューブおよび外側チューブに組み込まれた炎／フラッシュ消火特性を有するものである。
【００５１】
背圧の低減も利点の１つである。半自動および全自動の銃器と組み合わせて使用する場合、背圧は、サイクルレートの増加、炭素、屑および高温ガスのオペレーティングシステム及び射手の行動および顔面への吹き返し等、多数の悪影響を引き起こし、システムの信頼性に影響する。本開示の銃器サプレッサーは、対称的なガス流を可能にする独自の三次元設計を有する。銃口のすぐ前にある爆風バッフルと一次チャンバーがないことは、圧力が蓄圧されていないことを意味する。ガスは、サプレッサーボアからガス圧をトラップしない外側チャンバーに向かって外側に流れ、シュレッダーバッフルを通じた圧力リリース機構を組み込んだ外側チャンバー内で膨張することを可能にし、圧力を低下させ均等化する。
【００５２】
熱特性及び熱破壊の低減も利点の１つである。この設計により、サプレッサー全体とすべてのコンポーネント間の熱の均一な伝達と、発射後の急速な冷却が容易になる。これにより、兵士や将校の位置を教えてしまうもっと大きな熱シグネチャ（痕跡）が生じるホットスポットが発生しないようにする。また、熱関連の障害は、サプレッサーの構造的な障害の第１の原因である。
【００５３】
重さの減少も利点の１つである。本開示の銃器サプレッサーは、爆風バッフルを備えておらず、大きな圧力を蓄えていないので、サプレッサーはカートリッジには依存せず、その口径において実質的にどのカートリッジでも使用することができる。さらに、小孔を通って一次チャンバから出るガスの熱、超過圧力および高速流はこの設計では問題にならないので、モノリシックのコアおよび他の構成要素にチタンのような軽い材料を使用することができる。
【００５４】
利点には精度も含まれる。他の共通サプレッサのバッフルチャンバ設計で生成される乱流は、バッフルおよびチャンバの形状および構成に応じて、精度に悪影響を及ぼし得る。弾丸が一般サプレッサーのバッフルを通り、周囲空気のチャンバに入ると、ソニックブームがチャンバ内に形成される。それらのチャンバで音波がどのように反射されるかに応じて、弾丸の飛び方が乱れる可能性がある。加えて、弾丸がチャンバ内にある間に高温ガスが膨張して共通のサプレッサのチャンバ内で反射すると、精度を下げる乱れを生成される可能性がある。最後に、共通のサプレッサーの各チャンバー内で高温ガスが膨張すると、それらはサプレッサーのボア内の小さな穴から押し出され、弾丸の基部に対してガスが加速され、精度に悪影響を及ぼす可能性がある。本開示の銃器サプレッサーは、銃器サプレッサーのボアから、弾丸の基部から離れてガスを引き出す。さらに、本願の銃器サプレッサーは、ソニックブームが発生する可能性がある場所を最小限に抑え、したがって、ボア内の乱流が生成されないようにする。さらに、弾丸の前を進む音波は、角度を付けられた対称ポートによって取り除かれ、壊され、超音速空気のボアを通る音波のシグネチャと乱気流の両方を減少させる。
【００５５】
水置換の改良も利点の１つである。本開示の銃器サプレッサーは、空気／ガス流が水を置き換えて銃器サプレッサーから強制的に排出させるので、システム中に水があっても銃を発射することを可能にし、破局故障を引き起こす過圧状態が生じることはない。また、下向きを保持されると、本願のサプレッサーは数秒で素早く排水する。
【００５６】
本明細書を通じて、特徴、利点、または類似の記載を参照することは、本開示の主題によって実現され得るすべての特徴および利点がいずれかの１つの実施形態に含まれる必要があることを意味するものではない。むしろ、特徴および利点を参照する記載は、実施形態に関連して説明した特定の特徴、利点または特性が、本開示の少なくとも１つの実施形態に含まれることを意味すると理解される。したがって、本明細書を通して、特徴および利点、および同様の記載についての説明は、必ずしも同じ実施形態を参照するものである必要はない。
【００５７】
さらに、本開示の主題の説明された特徴、利点、および特徴は、１つまたは複数の実施形態において任意の適切な方法で組み合わ可能である。当業者であれば、特定の実施形態の特定の特徴または利点のうちの１つまたは複数を用いずに主題を実施できることが理解される。他の例では、全ての実施形態には含まれないが、特定の実施形態において、追加の特徴および利点が認識される場合がある。これらの特徴および利点は、以下の説明および添付の特許請求の範囲からより完全に明らかになるか、または以下に記載される主題の実施によって習得され得るものである。
【００５８】
本明細書を通して、「一実施形態」、「実施形態」、または同様の記載は、実施形態に関連して説明される特定の特徴、構造、または特性が本発明の少なくとも１つの実施形態に含まれることを意味する。したがって、本明細書を通じて、「一実施形態では」、「ある実施形態では」、および類似の記載は、すべて同じ実施形態を指すとは限らない。
【００５９】
さらに、本明細書である要素が別の要素に「結合」しているとの記載は、直接的および間接的な結合を含むことができる。直接結合は、ある要素に結合される場合と、ある要素と接触する場合と定義可能である。間接的な結合は、互いに直接接触していない２つの要素の間の結合、結合された要素の間に１つ以上の追加の要素を有するものとして定義することができる。さらに、本明細書で使用されるように、ある要素を別の要素に固定することは、直接固定および間接固定を含むことができる。さらに、本明細書で使用される「隣接する」の記載は必ずしも接触を意味するものではない。例えば、ある要素は、別の要素と接触することなく、その要素に隣接することができる。
【００６０】
本発明は、その趣旨または本質的な特徴から逸脱することなく、他の特定の形態で実施することができる。記載された実施形態は、すべての点において、例示的なものであって限定的なものではないとみなされるべきである。したがって、本発明の範囲は、上記の説明によってではなく、添付の特許請求の範囲によって示される。特許請求の範囲と均等の意味および範囲内に入るすべての変更は、その範囲内に含まれるべきである。
【図１】
2019502892.tif 000003
【図２】
2019502892.tif 000004
【図３Ａ】
2019502892.tif 000005
【図３Ｂ】
2019502892.tif 000006
【図４Ａ】
2019502892.tif 000007
【図４Ｂ】
2019502892.tif 000008
【図５】
2019502892.tif 000009
【図６】
2019502892.tif 000010
【図７】
2019502892.tif 000011
【図８Ａ】
2019502892.tif 000012
【図８Ｂ】
2019502892.tif 000013
【図９Ａ】
2019502892.tif 000014
【図９Ｂ】
2019502892.tif 000015
【国際調査報告】
2019502892.tif 000016